(57)【要約】【課題】低コストで砂漠などの悪条件下における植生が実施でき、高い発芽率が得られ、費用対効果の良い空中投下播種用植生袋及び該袋を使用した空中投下播種用植生包装体の提供。【解決手段】フィルムによって筒状に形成された胴部２の一端側を閉鎖し、他端側を開口部とした植生材収容用の袋体１を有し、開口部に該開口部を開閉するレールファスナー１０を備え、袋体１の胴部の閉鎖側端部外側に、袋体１を空中落下させた際に傘状に拡開するパラシュート部材４を一体に備える。【選択図】図２
2010077711.tif 000002
【特許請求の範囲】
【請求項１】
フィルムによって筒状に形成された胴部を有し、該胴部の一端側を閉鎖し、他端側を開口部とした植生材収容用の袋体を有し、
該開口部に該開口部を開閉するレールファスナーを備え、
前記袋体の胴部の閉鎖側端部外側に、該袋体を空中落下させた際に傘状に拡開するパラシュート部材を一体に備え、
全体が生分解性樹脂をもって形成された空中投下播種用植生袋。
【請求項２】
前記パラシュート部材は、フィルムによって形成された一端側が開放された袋状部材からなり、該袋状部材の開口部内に前記袋体の胴部の閉鎖側端部を挿入し、袋状部材の開口縁部の複数個所を前記袋体の外面に一体化させてなる請求項１に記載の空中投下播種用植生袋。
【請求項３】
前記請求項１〜３の何れかに記載の空中投下播種用植生袋内に、植生用土壌材、肥料構成材及び種子を混合した植生材を充填した空中投下播種用植生包装体。
【請求項４】
前記植生材には、粉末、顆粒又は粒状の吸水性樹脂材を混合させてなる請求項３に記載の空中投下播種用植生包装体。
【発明の詳細な説明】
【技術分野】
【０００１】
本発明は、主として、火山噴火による土砂崩れ等の自然災害、森林伐採等の人災等によって発生した荒廃地や砂漠化した土地を、航空機による空中投下播種によって緑化する際に使用する空中投下播種用植生袋及び該袋を使用した空中投下播種用植生包装体に関する。
【背景技術】
【０００２】
一般に、荒廃地を緑化する方法として、地表面に穴を掘り、その中に種を播き、あるいは苗や幼木を植え、土をかけ、水遣りする方法が一般的である。しかし、砂漠等の広大な地域においてこれらの作業を一本ずつ行うことは困難である。
【０００３】
このため、従来、航空機を使用した空中投下による植栽方法が提案されている。この種の従来の方法としては、土壌や肥料からなる植生材に種子を混ぜたものや、苗を植えつけたブロックを空中投下し、落下時の地面衝突時の貫入力や、落下後のブロック重量によって地表面に定着させ、根の伸張を待つものが一般的である（例えば特許文献１〜３）。
【特許文献１】特開平８−２４２６１５号公報
【特許文献２】特開平８−２９８８０９号公報
【特許文献３】特開平８−２９８８１０号公報
【発明の開示】
【発明が解決しようとする課題】
【０００４】
しかし、上述した従来の植生方法では、種子や苗を植えたブロックの製造に手数と時間を要し、コスト高となるため、特に砂漠のような悪条件下では、その地域における最も植生効果の高い品種の植物を使用した場合であっても、発芽率が０．１％或いはそれ以下であり、費用対効果が悪いという問題があった。
【０００５】
本発明はこのような従来の問題に鑑み、低コストで砂漠などの悪条件下における植生が実施でき、高い発芽率が得られ、費用対効果の良い空中投下播種用植生袋及び該袋を使用した空中投下播種用植生包装体の提供を目的としてなされたものである。
【課題を解決するための手段】
【０００６】
上述の如き従来の問題を解決し、所期の目的を達成するための請求項１に記載の発明の特徴は、フィルムによって筒状に形成された胴部を有し、該胴部の一端側を閉鎖し、他端側を開口部とした植生材収容用の袋体を有し、該開口部に該開口部を開閉するレールファスナーを備え、前記袋体の胴部の閉鎖側端部外側に、該袋体を空中落下させた際に傘状に拡開するパラシュート部材を一体に備え、全体が生分解性樹脂をもって形成された空中投下播種用植生袋にある。
【０００７】
請求項２に記載の発明の特徴は、請求項１の構成に加え、前記パラシュート部材は、フィルムによって形成された一端側が開放された袋状部材からなり、該袋状部材の開口部内に前記袋体の胴部の閉鎖側端部を挿入し、袋状部材の開口縁部の複数個所を前記袋体の外面に一体化させたことにある。
【０００８】
請求項３に記載の発明の特徴は、請求項１〜３の何れか１の請求項に記載の空中投下播種用植生袋内に、植生用土壌材、肥料構成材及び種子を混合した植生材を充填した空中投下播種用植生包装体にある。
【０００９】
請求項４に記載の発明の特徴は、請求項１の構成に加え、前記植生材には、粉末、顆粒又は粒状の吸水性樹脂材を混合させたことにある。
【発明の効果】
【００１０】
本発明に係る空中投下播種用植生袋及び空中投下播種用植生包装体は、フィルムによって筒状に形成された胴部を有し、該胴部の一端側を閉鎖し、他端側を開口部とした植生材収容用の袋体を有し、該開口部に該開口部を開閉するレールファスナーを備え、前記袋体の胴部の閉鎖側端部外側に、該袋体を空中落下させた際に傘状に拡開するパラシュート部材を一体に備えたことにより、内部に種子を含む植生材に水を含ませた状態で、空中より投下することにより、開口部が下向きとなった状態で地面に到達し、着地時の衝撃によってレールファスナーが開き、内部の植生材が地表面に直接接触した状態となるため、発芽後における根の地盤に対する貫入がスムーズになされることとなり、植生効率が高まる。また、全体を生分解性樹脂をもって形成しているので、袋体は継時的に分解され土に戻るため、着地時にレールファスナーが開かない場合であっても、発芽がなされ、根は地盤内に貫入し植生がなされるとともに、袋体が塵として残存されることがないため自然環境を害さない。
【００１１】
更に本発明に係る空中投下播種用植生袋及び空中投下播種用植生包装体におけるパラシュート部材は、フィルムによって形成された一端側が開放された袋状部材からなり、該袋状部材の開口部内に前記袋体の胴部の閉鎖側端部を挿入し、袋状部材の開口縁部の複数個所を前記袋体の外面に一体化させたことにより、袋体の製造工程において簡単にこれと一体化させることができ、効果的な空中落下姿勢が得られるとともに、落下速度を適度に調整することができる。
【発明を実施するための最良の形態】
【００１２】
次に本発明における空中投下播種用植生袋及び該袋を使用した空中投下播種用植生包装体の実施の形態を図面に示した実施例に基づいて説明する。
【００１３】
図１は、本発明に係る植生袋を示しており、この植生袋は、全体が生分解性樹脂材によって形成されている。図において符号１は植生袋を構成する袋体である。この袋体１は、フィルムによって筒状に形成された胴部２を有し、その胴部２の一端側を開閉可能な開口部とし、開口部内面にはレールファスナー１０が一体に備えられ、これによって開口部が開閉されるようになっている。また、胴部２の他端側は底シール部３によって閉鎖されており、これによって全体が有底筒状の袋体１が構成されている。
【００１４】
このレールファスナー１０は袋体１外側からの開き力に対する耐開き抵抗より該袋体１内側からの開き抵抗が小さい構造のものが使用されている。
【００１５】
更に具体的には、このレールファスナー１０は、図１、図２に示すように胴部２の開口部を構成している筒状のフィルムの各半周部分を互いに重ね合わせるように畳み、図３〜図５に示すように、互いに重ね合わせるように畳まれた各半周部分を基台部１１，１２とし、その両基台部１１，１２にそれらの間を開閉するチャック部１３が備えることによって構成されている。
【００１６】
両チャック部１３は、一方の基台部１１の表面に一体に突設された雌封止レール部１４内に、他方の基台部１２に一体に突設された雄封止レール部１５が挿入されることによって封止されるようになっている。
【００１７】
雌封止レール部１４は、基台部１１に突設され、先端部内側面に断面が鈎状の鈎爪部１６を有する一対の雌鈎レール部１７ａ，１７ｂを備えている。雄封止レール部１５は、他方の基台部１２の表面に一体に突設され、先端部外側面に断面が鈎状の鈎爪部１８，１８を有し雌鈎レール部１７ａ，１７ｂ間に挿入される一対の雄鈎レール部１９，１９を備えている。
【００１８】
また、一方の基台部１１の両雌鈎レール部１７ａ，１７ｂの中間位置に、他方の基台部１２の両雄鈎レール部１９，１９間に圧入される密封用レール部２０が一体に突設され、雄封止レール部１５を雌封止レール部１４内に挿入することによって両者間の両鈎爪部１６と１８とが互いに系合されるとともに前記密封用レール部２０が前記雄鈎レール部１９，１９の背面１９ａ，１９ａ間に圧入されるようになっている。
【００１９】
密封用レール部２０はその先端部分に両面側を膨出させた形状の頭部２０ａを備え、該頭部２０ａの両側面が両雄鈎レール部１９，１９の背面１９ａ，１９ａを押圧することによって互いに線接触状態となり、気液密性が維持されるようになっている。
【００２０】
また、雌封止レール部１４の一方の雌鈎レール部１７ａの根元部の断面形状は、基台部１１側に至るに従って厚くしたテーパ状に成型されており、これによって該雌鈎レール部１７ａが突設されている基台部１１に対する曲げ力がこの雌鈎レール部１７ａに伝わり易く、従って図５に示すように、基台部１１を外側に曲げることによって、雌鈎レール部１７ａが容易に雄鈎レール部２７から離れる方向に曲げられて、互いに係合状態にある鈎爪部１６と１８とを容易に外すことが可能な易開放側係合部を構成している。
【００２１】
これに対し、他方の雌鈎レール部１７ｂの根元部は、その外側面が基台部１１に至るに従って内側面と同様に一方の雌鈎レール部１７ａ側に湾曲させた形状となっており、該根元部は、その厚さａ（図３に示す）が基台部１１の厚さｂより厚く成型され、断面形状が円弧状に成型された円弧状部２１を有している。このため、基台部１１に開き方向の曲げ力が作用した場合、図５に示すように、基台部１１が雌鈎レール部１７ｂの根元部外側位置で曲がり、前記曲げ力が雌鈎レール部１７ｂに容易には伝わらず、互いに係合状態にある鈎爪部１６，１８の係合が容易には外れない難開放側係合部を構成している。
【００２２】
胴部２の下端側は、筒状の各半周部分が互いに重なり合うように平らにたたみ、その重なり合った半周部分間を互いに熱溶着させて底シール部３を形成している。
【００２３】
袋体１の底シール部３側の端部側には、その外側にパラシュート部材４が被せられた配置に固定されている。このパラシュート部材４は、図１、図２に示すように、内部に袋体１の端部がその外周に間隙を隔てて収容される有底袋状に形成され、その有底袋状の開口部内に袋体１の底シール部側端部が挿入され、該パラシュート部材４の開口部内面と袋体１の外面が複数個所にて互いに熱融着によって一体化されるように固定されている。図中符号７パラシュート部材４と袋体１との融着点を示している。
次に、上述した植生袋を使用した植生包装体について説明する。
【００２４】
この包装体５は、前述した植生袋の袋体１内に、図６に示すように開口部のレールファスナー１０を開き、植生材６を収容し、レールファスナー１０を閉じて開口部を密閉することにより構成される。
【００２５】
植生材６は、種子、種子が発芽して成長した苗が根を張るための土壌材、苗が生長するための肥料構成材をもって構成される。この他、粉末、顆粒状又は粒状の吸水性樹脂を混合させても良い。
【００２６】
土壌材には、天然の土砂の他、人口の土壌材を使用する。肥料構成材としては、腐葉土、堆肥等の自然肥料の他、化学肥料を各種必要に応じて混合したものを使用する。
【００２７】
種子には、草木類の種子を使用し、植生地の植物成育環境に適したものを適宜選択して使用する。
【００２８】
この包装体５は、植生までに期間がある場合は、乾燥状態の植生材６を袋体１内に収容して密閉しておく。これによって生分解性樹脂の生分解を進行させることなく保管することができる。そして植生直前に、袋体１の開口部のレールファスナー１０を開いて必要量の水を注入し、再度レールファスナーを閉じて航空機に搭載し、植生現場上空より投下することにより空中投下播種する。
【００２９】
このとき、包装体５は、図７に示すように空気抵抗によってパラシュート部材４が開き、開口部側が下向きになって落下する。また、パラシュート部材４内に空気が入ってこれが傘状に開くことにより、空気抵抗が大きくなり、落下速度が減速される。
【００３０】
この状態で地上に到達して地表面に衝突することにより、図８に示すようにレールファスナー１０が衝突時の植生材６の圧力によって開かれ、植生材６が種子含んだ状態で地表面に漏れ出し、播種と培土とが同時になされた状態となる。
【００３１】
尚、レールファスナー１０の袋体1内側からの圧力に対する開き抵抗、パラシュート部材４による落下速度減速率は、包空中投下播種時の高度や装体６の内容物の重量を考慮し、包装体５が地表面に衝突する際の衝撃力によって、図８に示す状態、即ち、包装体５内の植生材６が飛散することなくレールファスナー１０が開かれる程度となるように予め実験によって決定し、各種の播種条件に応じて設計し製造したものを使用するものである。
【図面の簡単な説明】
【００３２】
【図１】本発明に係る植生袋の一例の全体を示す平面図である。
【図２】同上の縦断面図である。
【図３】図１に示す実施例における密封構造式のレールファスナーを示す断面図である。
【図４】同上のチャック部の易開放側の開き状態を示す拡大断面図である。
【図５】同上のチャック部の難開放側の開き状態を示す拡大断面図である。
【図６】本発明に係る植生袋に植生材を収容する状態を示す縦断面図である。
【図７】本発明に係る植生袋に植生材を収容した空中投下播種用植生包装体の空中落下状態を示す縦断面図である。
【図８】同上の地表面に落下した後の状態を示す縦断面図である。
【符号の説明】
【００３３】
１  袋体
２  胴部
３  底シール部
４  パラシュート部材
５  包装体
６  植生材
７  融着点
１０  レールファスナー
１１  基台部
１１ａ  縁部背面
１２  基台部
１２ａ  縁部背面
１２ｂ  縁部背面
１３  チャック部
１４  雌封止レール部
１５  雄封止レール部
１６  鈎爪部
１７ａ  雌鈎レール部
１７ｂ  雌鈎レール部
１８  鈎爪部
１９  雄鈎レール部
１９ａ  背面
２０  密封用レール部
２０ａ  頭部
２１  円弧状部
【図１】
2010077711.tif 000003
【図２】
2010077711.tif 000004
【図３】
2010077711.tif 000005
【図４】
2010077711.tif 000006
【図５】
2010077711.tif 000007
【図６】
2010077711.tif 000008
【図７】
2010077711.tif 000009
【図８】
2010077711.tif 000010